(57)【要約】【課題】  ガラス板等対象物への防犯用検知器の貼着取付け時に、ガラス面と粘着テープの粘着面との間に空気封入細隙が生じ難く、従って圧電素子へのガラス板破壊振動伝播が確実に行われるようにした簡易設置型防犯用検知器を提供すること。【解決手段】  圧電素子５、電池６、圧電素子からの電気的信号を処理する回路７、および視覚的および／又は聴覚的報知警報素子９，１０を含む構成要素を筐体内に収納して成る簡易設置型防犯用検知器において、前記筐体はヒンジ機構４を介して互いに回動自在に連結された上部筐体３と下部筐体２とを有し、前記圧電素子のみ又はこの圧電素子を含む前記構成要素の一部を下部筐体内に、その他の構成要素を前記上部筐体内に収容、固定し、扁平な下部筐体底部外面に両面粘着テープを貼付する。【選択図】図１
2006293660.tif 000002
【特許請求の範囲】
【請求項１】
圧電素子、電池、前記圧電素子からの電気的信号を処理する回路、および視覚的および／又は聴覚的報知警報素子を含む構成要素を筐体内に収納して成る簡易設置型防犯用検知器において、
前記筐体は、ヒンジ機構を介して互いに回動自在に連結された上部筐体と下部筐体とを有し、
前記圧電素子のみ、又はこの圧電素子を含む前記構成要素の一部を前記下部筐体内に、その他の構成要素を前記上部筐体内に収容、固定し、
前記下部筐体の底部外面を扁平に構成し、この底部外面に両面粘着テープを貼付することを特徴とする簡易設置型防犯用検知器。
【請求項２】
前記下部筐体の底部外面に貼付される両面粘着テ−プは、弾性体を支持体とする仮接着部分と、非弾性体を支持体とする本接着部分とを有し、
前記本接着部分は、前記底部外面の両面粘着テープ貼付領域のうち、下部筐体内の圧電素子の配置位置に対応した範囲を含む領域に貼付されていることを特徴とする請求項１に記載の簡易設置型防犯用検知器。
【請求項３】
前記上部筐体に報知警報素子としての発光ダイオ−ドおよび／又はブザー又はスピーカーが収容されていることを特徴とする請求項１又は２に記載の簡易設置型防犯用検知器。
【発明の詳細な説明】
【技術分野】
【０００１】
本発明は、住宅等の室内外を仕切るガラス板等（以下、単にガラス板と呼称する）に貼着して取り付けられ、住宅等へ不法侵入しようとする者が行うガラス板破壊を検知し、侵入者に対する威嚇並びに被侵入者に対する報知を行うための簡易設置型防犯用検知器に関する。
【背景技術】
【０００２】
従来、上記防犯用検知器として、筐体内に圧電素子、電池、ブザー又はスピーカー、発光ダイオード、フィルター回路、増幅器、予備警報比較回路、発光ダイオード駆動回路、ブザー又はスピーカー駆動回路などの構成要素を内蔵したものが提案されている（例えば下記特許文献１参照）。
【０００３】
上記構成要素は上記筐体内に平面的に並列配置され、従ってこの筐体は薄厚の扁平な直方体形状を呈している。この筐体にはその底部外面に両面粘着テープが貼付されており、ガラス板への防犯用検知器の貼着は、前記両面粘着テープ上の剥離シートを剥がし、露出させた粘着面をガラス板面に押し当てることによって行われる。
【０００４】
このように防犯用検知器を貼着したガラス板に対して破壊的衝撃が加えられると、ガラス板に発生した振動が筐体内の圧電素子に伝播し、圧電素子に発生する変動振幅を有する電圧は上記フィルター回路で破壊固有周波数帯が検知され、フィルター回路を通過した電気的信号は、増幅器、予備警報比較回路、発光ダイオード駆動回路を介して発光ダイオードを発光させ、更にブザー又はスピーカー駆動回路を介してブザー又はスピーカーを作動させ、ガラス板に発生した異常を視覚的、聴覚的に報知し、不法侵入者に対する威嚇警報と被侵入者への注意警報を発する。
【０００５】
ガラス板に対する筐体の貼着を確実なものとするために、上記両面粘着テープは筐体底部外面の略全面にわたって貼付されるが、筐体内には上記のように各構成要素が平面的に配列されているので、筐体底部もこの配列に応じた広がりを有し、従って両面粘着テープ貼付領域もこの比較的広い筐体底部外面に相応したものとなる。
【０００６】
このように両面粘着テープ貼付領域が広い場合、防犯用検知器をガラス板面に貼着する際、両面粘着テープとガラス面との間に空気封入細隙が生じやすく、このような細隙が発生すると、ガラス板破壊振動は介在する封入空気を媒体として伝達することになるために減衰し、そのため圧電素子による検出結果が実質的な振動を正確に表さず、誤差を含んだりバラツキのあるものになったりして、防犯用検知器としての所期の機能を十分に果たし得なくなるという不具合を生じる。
【０００７】
【特許文献１】特開２００４−５０５７号公報
【発明の開示】
【発明が解決しようとする課題】
【０００８】
そこで本発明の目的は、ガラス板等対象物への防犯用検知器の貼着取付け時に、上記のような空気封入細隙が生じ難く、従って圧電素子へのガラス板破壊振動伝播が確実に行われるようにした簡易設置型防犯用検知器を提供することである。
【課題を解決するための手段】
【０００９】
上記目的を達成するために、本発明のうち請求項１に記載の発明は、圧電素子、電池、前記圧電素子からの電気的信号を処理する回路、および視覚的および／又は聴覚的報知警報素子を含む構成要素を筐体内に収納して成る簡易設置型防犯用検知器において、前記筐体は、ヒンジ機構を介して互いに回動自在に連結された上部筐体と下部筐体とを有し、前記圧電素子のみ、又はこの圧電素子を含む前記構成要素の一部を前記下部筐体内に、その他の構成要素を前記上部筐体内に収容、固定し、前記下部筐体の底部外面を扁平に構成し、この底部外面に両面粘着テープを貼付することを特徴とする。
【００１０】
上記圧電素子は、振動を受けた際に電圧を発生するタイプの市販のものである。また、上記の電気信号処理回路は、ガラス板破壊によって生じる固有周波数と破壊以外の原因で発生する周波数とを分離して検出するフィルター回路、このフィルター回路の出力を増幅する増幅器、ガラス板破壊に至らない程度の振動がガラス板に加わった際に圧電素子が出す電圧出力信号に基づいて予備信号を出力する予備警報比較回路、ガラス板が破壊された場合に圧電素子の出力信号に基づいて本警報信号を出力する本警報比較回路、前記予備信号又は本警報信号を受けて発光ダイオードを点滅させる発光ダイオード駆動回路、前記本警報信号を受けてブザー又はスピーカーを作動させるブザー又はスピーカー駆動回路などである。また、上記視覚的および／又は聴覚的報知警報素子は発光ダイオード、ブザー、スピーカーなどである。
【００１１】
請求項１に記載の構成によれば、上記下部筐体に収容されるのは、圧電素子のみ、又はこの圧電素子を含む前記構成要素の一部であるので下部筐体を小型化することができ、従って下部筐体の底部外面は小面積化され、これに伴って両面粘着テープの貼付領域も狭小化されるので、防犯用検知器をガラス板に貼着する際に、粘着テープとガラス面との間に空気封入細隙が生じにくく、従ってガラスの振動は正確に圧電素子へ伝達され、ガラス破壊の振動検出感度が安定して得られる。
【００１２】
請求項２に記載の発明は、請求項１記載の防犯用検知器において、前記下部筐体の底部外面に貼付される両面粘着テ−プは、弾性体を支持体とする仮接着部分と、非弾性体を支持体とする本接着部分とを有し、前記本接着部分は、前記底部外面の両面粘着テープ貼付領域のうち、下部筐体内の圧電素子の配置位置に対応した範囲を含む領域に貼付されていることを特徴とする。
【００１３】
前記仮接着部分は、例えば発泡体、ポリウレタンゴム、シリコンゴムの薄板にて形成される弾性支持体と、この支持体の表裏両面に塗布される粘着剤層とを有するものであり、前記本接着部分は、例えば紙又は布にて形成される支持体と、この支持体の表裏両面に塗布される粘着剤層とを有するものである。
【００１４】
請求項２に記載の発明によれば、両面粘着テープが、弾性体を支持体とする仮接着部分と、非弾性体を支持体とする本接着部分とを有するという構成により、防犯用検知器をガラス板に貼着固定する際、先ず前記仮接着部分の剥離シートを剥がし、露出した仮接着部分の粘着面をガラス板に接着して防犯用検知器の仮貼着を行い、続いてこの仮貼着部分における弾性を利用してガラス板に対する防犯用検知器の姿勢調整を行い、次いで調整後の防犯用検知器の姿勢を維持した状態で本接着部分の剥離シートを剥がし、露出した同部分の粘着面をガラス板に貼着するといった防犯用検知器の姿勢調整貼着が可能であり、また、前記本接着部分が、前記底部外面の両面粘着テープ貼付領域のうち、下部筐体内の圧電素子の配置位置に対応した領域を含む領域に貼付されているという構成により、圧電素子は本接着部分に対向位置することになり、従ってガラス板の振動は、振動伝搬作用に優れた本接着部分を経て下部筐体に伝達され、更に圧電素子に伝達されるので、圧電素子にはガラス板の振動が殆ど損失のない状態で正確に伝播され、圧電素子はガラス振動状態を正しく反映して作動する。
【００１５】
請求項３に記載の発明は、請求項１又は２に記載の防犯用検知器において、前記上部筐体に報知警報素子としての発光ダイオ−ドおよび／又はブザー又はスピーカーが収容されていることを特徴とする。
【００１６】
請求項３に記載の発明によれば、下部筐体に対する上部筐体の角度位置を、不法侵入しようとする者に対する点滅による最大の威嚇効果をもたらす位置に発光ダイオードを位置させるように、或いはブザー又はスピーカー音が最も好ましい方向へ指向されるように、調整することができる。更に、上部筐体に報知警報素子としての発光ダイオ−ドおよび／又はブザー又はスピーカーを集中配設することにより、当該検知器の上部筐体を閉鎖して下部筐体に重ね合わせる状態にしても、発光ダイオードの点滅及び／又はブザー或いはスピーカーの鳴動を阻害するような発信レベルの障害はなく、確実な警報作動が果たされる。
【発明の効果】
【００１７】
請求項１に記載の発明は、ガラス板の振動が正確に圧電素子へ伝えられるので、ガラス板の状態に応じた正確な警報を発生することができ、また、貼着固定面積が狭小化されるので、対象体に対する防犯用検知器の取付け箇所の選択肢が大幅に増大する。
【００１８】
請求項２に記載の発明は、上記の効果に加えて、防犯用検知器の位置ズレのない正確な貼着固定が達成され、貼着後の好ましい外観姿勢をもたらす。
【００１９】
請求項３に記載の発明は、上記の両効果に加えて、貼着固定後の防犯用検知器における発光ダイオ−ドを見えやすい位置や角度に調整することができ、また、ブザー又はスピーカーの警報音の指向性を任意に変更することができる。
【発明を実施するための最良の形態】
【００２０】
以下、本発明を実施するための最良の形態を図面に基づいて説明する。
【００２１】
図１は、本発明による簡易設置型防犯用検知器１を内面側から見た斜視図であり、図２は検知器１を側面から見た図であり、一部が破断されている。
【００２２】
図１および図２中、２は下部筐体、３は上部筐体である。両筐体２，３は、略同形の扁平な直方体形状を呈しており、互いに最大約１８０°の角度に拡開する展開状態（図２参照）と、互いに重なり合った閉鎖状態、即ち折畳み状態（図３参照）との間で回動するようにヒンジ機構４により結合されている。
【００２３】
下部筐体２内には、図１に点線で示すように、圧電素子５、電源電池６、および電気信号処理回路７が収納されている。
【００２４】
圧電素子５は振動を電圧に変換する機能を有する市販のものであり、電源電池６はボタン電池或いはコイン電池である。
【００２５】
電気信号処理回路７は、ガラス板破壊によって生じる振動の固有周波数と破壊以外の原因で発生する振動の周波数とを分離して検出するフィルター回路、このフィルター回路の出力を増幅する増幅器、ガラス板破壊に至らない程度の振動がガラス板に加わった際に圧電素子が出す電圧出力信号に基づいて予備信号を出力する予備警報比較回路、ガラス板が破壊された場合に圧電素子の出力信号に基づいて本警報信号を出力する本警報比較回路、前記予備信号又は本警報信号を受けて下記の発光ダイオードを点滅させる発光ダイオード駆動回路、前記本警報信号を受けて下記のブザー又はスピーカーを作動させるブザー又はスピーカー駆動回路を含んでいる。
【００２６】
上記の圧電素子５、電源電池６、および電気信号処理回路７は基板８に実装され、この基板８は、図２に示すように、下部筐体底部２０の内面に固定されている。
【００２７】
一方、上部筐体３内には、図１に点線で示すように、ブザー又はスピーカー９および発光ダイオード１０が収容されており、これらは基板１１に実装され、基板１１は上部筐体底部３０の内面に固定されている。
【００２８】
発光ダイオード１０は上部筐体底部３０に設けた開口を抜けて上部筐体３の外面側へ突出している。発光ダイオードは１つのみ図示されているが、複数個設けてもよい。
【００２９】
下部筐体２内の圧電素子５、電池６、電気信号処理回路７、および上部筐体３内のブザー９、発光ダイオード１０は従来公知の態様で相互に電気的に接続されている。
【００３０】
下部筐体２と上部筐体３との間の電気的接続は、下部筐体２内の基板８のヒンジ機構側端部に設けた下部筐体側端子１２と、この下部筐体側端子１２に結合され且つヒンジ機構４に内蔵された円弧状のコンタクト部材１３と、上部筐体３内の基板１１のヒンジ機構側端部に設けられ、上記コンタクト部材１３の外周面に対して摺動自在に弾接している上部筐体側端子１４とによって行われる。なお、ヒンジ機構内に配置した円弧状コンタクト部材を用いた電子機器のコネクタ構造は例えば特開平７−６８４２号公報に示されており公知である。
【００３１】
下部筐体側端子１２は、下部筐体内基板８上のプリント配線を介して、圧電素子５、電池６および電気信号処理回路７に電気的に接続されており、上部筐体側端子１４は、上部筐体内基板１１上のプリント配線を介して、ブザー９および発光ダイオード１０に電気的に接続されている。
【００３２】
図１中、１５は防犯用検知器１を作動状態から非作動状態へ、或いはその逆へ切り換えるための切換スイッチである。
【００３３】
上記のように構成された防犯用検知器１は、下部筐体２の扁平な底部外面２１に貼付された両面粘着テープ１６によって貼着対象、例えば窓ガラスに貼着される。
【００３４】
図３は、下部筐体２の底部外面２１に貼付された両面粘着テープ１６を示しており、特にこの両面粘着テープ１６は、弾性体を支持体とする仮接着部分１６ａと、紙または布を支持体とする本接着部分１６ｂとを有し、両支持体には粘着剤が含浸され或いは塗布されている。
【００３５】
上記弾性支持体としては特に発泡体が好ましく、この発泡体は、例えば、ポリエチレン、ポリプロピレン、ポリブタジエン、ポリイソブチレン、ポリアクリル酸エステル、ポリエステル、ポリエ−テル、エチレン−プロピレン共重合体ポリマ−、アクリル系ゴム、ポリウレタン、その他のエラストマ−等からなるゴム系発泡体である。特に、極性の小さいポリエチレンやポリプロピレン等のオレフィン系樹脂やポリブタジエン、ポリイソブチレン等の発泡体が好ましい。
【００３６】
発泡体の発泡セル構造は、独立気泡、連続気泡、或いはそれら両者が混在したものであってもよい。
【００３７】
発泡体の発泡倍率は３倍から５０倍が望ましく、特に５倍から４０倍が好ましい。３倍未満では十分な柔軟性が得られず、被着体面に対する凹凸追従性が劣る欠点がある。５０倍を超える場合は発泡体の破断時強度、層間強度のいずれも低下するため、両面粘着テ−プの位置調整に際して、発泡体への応力負荷による発泡体内部の層間破壊と変位量が大きく、位置固定が困難となり、貼り付け作業性の低下を招き、好ましくない。
【００３８】
弾性支持体としての発泡体の厚みは、０．１ｍｍ以上、３．０ｍｍ以下が好ましく、特に０．２ｍｍ以上、２．０ｍｍ以下が好ましい。破断時強度は１ｋｇｆ／ｃｍ2以上、１００ｋｇｆ／ｃｍ2以下が好ましい。破断時伸び率は１００％以上、５００％以下が好ましく、特に２００％以上、４００％以下が好ましい。
【００３９】
上記発泡体以外に、耐久性、耐候性のよいポリウレタンゴム、シリコンゴム等も弾性支持体として使用可能であり、これらゴムと上記発泡体とを併用してもよい。併用の場合は、これら材料を層状に重ね合わせて弾性支持体が形成される。
【００４０】
上記弾性支持体に塗布される粘着剤層の塗布厚みは３０μｍ以上、５００μｍ以下が好ましい。
【００４１】
図２に示すように、上記のように構成した両面粘着テープ１６は、本接着部分１６ｂが、下部筐体底部外面２１の両面粘着テープ貼付領域のうち、下部筐体内基板８に対応する領域、特に下部筐体２内の圧電素子５の配置位置に対応した範囲を含む領域、即ち下部筐体底部外面２１における圧電素子５の投影を含む領域に貼付され、仮接着部分１６ａが下部筐体内基板８を外れた、ヒンジ機構４に対して遠方側にある領域に貼付される。
【００４２】
上記両面粘着テープ１６を貼付した防犯用検知器１を、例えば窓ガラス面へ貼着固定する場合、先ず、剥離シ−ト１７のうち仮接着部分１６ａを覆う部分が剥がされ、同部分の粘着面が露出される。その際、剥がされた剥離シ−ト部分は折り返された状態に置かれる。その状態で防犯用検知器１の貼着固定面側が窓ガラスの所定個所へ押し当てられ、仮接着部分１６ａによる仮接着が行われる。次いで、防犯検知器１が、弾性支持体の弾性が許容する範囲でガラス面に沿って縦、横、斜めの方向および／又は回転方向へ手作業で位置調整され、その後、剥離シ−ト１７全部を剥ぎ取って本接着部分１６ｂの粘着面を露出させ、ガラス面へ押し当てて実質的な接着を行う。
【００４３】
上記のように、防犯検知器１の貼着時に上記弾性支持体が同検知器の調整移動を可能にするので、同検知器を所期の望ましい姿勢でガラス面に貼着固定することができる。
【００４４】
このように貼着固定された防犯検知器１の圧電素子５が本接着部分１６ｂに対向位置することと、本接着部分１６ｂの展延領域が比較的狭小で貼着時に空気間隙が出来難いことによって、ガラス板の振動が、振動伝搬作用に優れた紙又は布製支持体を有する本接着部分を介して圧電素子５に伝達されるという作用と、空気間隙の介在なしに伝達されるという作用が得られ、その結果、ガラス板の振動が殆ど損失のない状態で圧電素子に伝播し、従って圧電素子はガラスの振動状態を正しく反映して作動するという効果が得られる。
【００４５】
なお、本発明は上記実施の形態に限定されることなく、発明の趣旨を逸脱しない範囲で下記のように種々変更可能である。
【００４６】
例えば、下側筐体２内の電源電池６および電気信号処理回路７の両方または片方を上側筐体３内へ移行させてもよい。
【００４７】
また、上記実施形態では仮接着部分１６ａを、下側筐体底部外面２１のうち、下部筐体２の先端寄りの領域に設けたが、圧電素子５に対応する範囲を回避すれば、他の領域に設けてもよい。また、仮接着部分１６ａを被覆する剥離シートを、本接着部分１６ｂを被覆する剥離シートから分離しておき、別途に引き剥がし可能にしておいてもよい。
【００４８】
更に、両面粘着テ−プ１６は、上記のような弾性体を支持体とする仮接着部分１６ａを有することなく、全部が紙または布を支持体とするものであってもよい。
【００４９】
下部および上部の各筐体の寸法は、例えば縦６０ｍｍ、横３０ｍｍにすることができ、従って防犯用検知器１は窓ガラス以外に、窓枠などにも容易に貼着、固定可能である。
【００５０】
防犯用検知器１に無線電話回線発振装置およびアンテナを内蔵させれば、外出者が携帯するポケットベルまたは携帯電話に異常事態の情報をリアルタイムに伝達することができる。
【００５１】
本発明による折畳式防犯用検知器１によれば、下部筐体２および上部筐体３の内面を画像表示面として使用し、この表示面に異常事態有無の情報記載を行うことができる。
【図面の簡単な説明】
【００５２】
【図１】本発明による折畳みおよび展開可能の簡易設置型防犯用検知器を略全開状態で示す、内面側から見た斜視図である。
【図２】全開状態にある図１の検知器の一部破断側面図である。
【図３】閉鎖状態にある図１の検知器の貼着面側から見た拡大尺斜視図である。
【符号の説明】
【００５３】
１  防犯用検知器
２  上側筐体
３  下側筐体
４  ヒンジ機構
５  圧電素子
６  電源電池
７  電気信号処理回路
８  下部筐体内基板
９  ブザー又はスピーカー
１０  発光ダイオード
１１  上部筐体内基板
１２  下部筐体側端子
１３  コンタクト部材
１４  上部筐体側端子
１５  切換スイッチ
１６  両面粘着テープ
１６ａ  仮接着部分
１６ｂ  本接着部分
１７  剥離シ−ト
２０  下部筐体底部
２１  底部外面
３０  上部筐体底部
【図１】
2006293660.tif 000003
【図２】
2006293660.tif 000004
【図３】
2006293660.tif 000005